(57)【特許請求の範囲】
【請求項１】
携帯通信端末上で複数のアプリケーションを実行することが可能な携帯通信端末において、
前記携帯通信端末上で実行される各アプリケーションから表示要素が指定される表示データ情報を取得する表示タスクを備え、
該表示タスクが、前記各アプリケーションが表示する表示部とは異なる情報を表示する表示部に情報を表示し、
該表示タスクは、前記各アプリケーションが表示する表示部とは異なる情報を表示する表示部に、当該実行される各アプリケーションが指定した表示要素に基づいて、該アプリケーションの動作を監視して取得した情報を表示することを特徴とする携帯通信端末。
【発明の詳細な説明】
【０００１】
【発明の属する技術分野】
本発明は、アプリケーション画面等が表示される表示部を有する携帯通信端末に関する。
【０００２】
【従来の技術】
従来、例えば特開２０００−６９１９１号公報に、コンピュータ端末上で実行されるアプリケーションと通信プロトコルとの間で通信されるアプリケーションデータを盗み見ることで、アプリケーションの種類に依存せずに、コンピュータ端末上に課金状況等をリアルタイムで表示する技術が開示されている。
【０００３】
【発明が解決しようとする課題】
しかし、ＰＨＳ（Personal Handy Phone System ）や携帯電話機等の携帯通信端末は、音声通話時は通話時間を、また、データ通信時はデータ通信を行うアプリケーションの表示画面を、表示部（表示手段）に表示するのみであった。従って、携帯通信端末においては、通話時、または通信時における課金状況の表示がなされていないため、料金の精算時に高額な料金を請求されて困るユーザが現れ、問題となっていた。特にパケット交換通信を利用する場合、通信されたデータ量（パケット数）に対して課金するので、通話時間に課金される従来の回線交換通信による音声通話以上に、ユーザが利用した料金の額を直感的に認識できないという問題があった。
【０００４】
更に、携帯通信端末の場合、”音声通話には音声通話を行うためのアプリケーション”、”データ通信にはデータ通信を行うためのアプリケーション”というように、アプリケーションプログラムが使用の度に変わるが、両者に対応して適切な課金情報等の提供は行われていなかった。
また、ＰＨＳや携帯電話機等の携帯通信端末は、表示部（表示手段）が小さいため、一度に多くのアプリケーションの情報を表示すると、ユーザが表示内容を認識できないという問題があった。
【０００５】
また、特開２０００−６９１９１号公報に記載の技術では、アプリケーション毎に異なるアプリケーションデータを盗み見ているが、本来アプリケーションデータのフォーマットはアプリケーションに強く依存するため、無数に存在する全てのアプリケーションのデータを解析するようなプログラムを作成することには無理があった。また、特に携帯通信端末はコンピュータ端末と違い、用意されたリソース（ハードウェアを構成する資源）の処理能力が低いため、アプリケーション毎に異なるデータを解析して、リアルタイムで表示することは負荷が重すぎるという問題があった。更に、各携帯通信端末アプリケーションにリアルタイムの課金状況表示機能を持たせることは、アプリケーション開発者にも大きな負荷をかける要因となるという問題があった。
【０００６】
本発明は、上記問題点に鑑みてなされたもので、好ましくは全ての携帯通信端末アプリケーションが、共通のインターフェースにより、通信端末で表示されるアプリケーション本来の情報とは独立した課金状況や端末の内部情報等の付加情報を、リアルタイムで無理なく表示することができる携帯通信端末を提供することを目的とする。
【０００７】
【課題を解決するための手段】
上記問題点を解決するために、以下の手段を採用した。
本発明は、携帯通信端末上で複数のアプリケーションを実行することが可能な携帯通信端末において、前記携帯通信端末上で実行される各アプリケーションから表示要素が指定される表示データ情報を取得する表示タスクを備え、該表示タスクが、前記各アプリケーションが表示する表示部とは異なる情報を表示する表示部に情報を表示し、該表示タスクは、前記各アプリケーションが表示する表示部とは異なる情報を表示する表示部に、当該実行される各アプリケーションが指定した表示要素に基づいて、該アプリケーションの動作を監視して取得した情報を表示することを特徴とする。
【００１５】
【発明の実施の形態】
以下、図面を参照して本発明の実施の形態について、携帯通信端末の一例として携帯電話機を用いて説明を行う。図１は、本発明の実施の形態による携帯電話機の構成を示すブロック図である。図１において、制御部１は、通信プロトコルを含む携帯電話機制御用のアプリケーションプログラムを実行することにより、携帯電話機各部の動作を制御する。また、無線部２は、送信信号の変調機能および受信信号の復調機能を有する通信処理部であって、アンテナ２ａを介して携帯電話機の通信処理を統括する携帯電話基地局（図示せず）と通信を行う。データ読み書き用のＲＡＭ（ランダムアクセスメモリ）３は、ユーザ設定データや制御部１で実行される上記アプリケーションプログラムの一時記録データなどを格納するメモリである。また、ＲＯＭ（リードオンリメモリ）４は制御部１が実行する送信や着信の各種携帯電話機制御プログラムなどを格納している。
【００１６】
音声処理部５は、無線部２で復調された受信データをアナログ音声信号に変換してスピーカ６に音声出力し、一方、マイク７から入力された送話用の音声信号を圧縮符号化し、無線部２を通じてアンテナ２ａから送信する。操作部８は「０」〜「９」のテンキーやファンクションキー等から構成され、電話番号や各種の機能データを入力可能にしている。表示部Ａ９は、アプリケーションプログラムによる電話機能のメニューや、テンキーやファンクションキーなどの入力操作に応じたデータの表示を行う。表示部Ｂ１０は、表示部Ａ９とは独立して制御される表示部であって、表示部Ａ９とは異なる情報を表示する。なお、表示部Ｂ１０については詳細を後述する。
【００１７】
また、制御部１では、ＲＯＭ４から読み込まれた端末アプリケーション１１と、通信プロトコルスタック１２とサブ領域表示タスク１３とが実行される。
端末アプリケーション１１は、携帯電話機の動作を制御する電話制御用のアプリケーションプログラムで、例えば、一例として携帯電話機で音声通話を行う場合の音声通話アプリケーションや、携帯電話機でインターネット上の情報サーバにアクセスする場合のＷｅｂブラウザアプリケーションが挙げられる。
通信プロトコルスタック１２は、端末アプリケーション１１に含まれる各アプリケーションプログラムが要求する信号を、予め決められた通信手順に従って、無線部２を介して前述の携帯電話基地局と送受信する。
サブ領域表示タスク１３は、端末アプリケーション１１や通信プロトコルスタック１２から、図２に示す表示データ生成情報、及び図３に示す表示データ組立情報を取得して、表示部Ｂ１０に表示する情報を表示データとして作成する。なお、サブ領域表示タスク１３については、詳細を後述する。
【００１８】
ここで、表示データ生成情報とは、表示部Ｂ１０に表示する表示要素（表示データ）を、どのように取得すれば良いかを指示する情報であり、図２には、表示データ生成情報の構成要素と、構成要素に指定可能な指定範囲を記述する。構成要素と、構成要素に指定可能な指定範囲は、例えば、
（１）表示要素名は、表示部Ｂ１０に表示したい要素の名前を示した情報であり、２５５文字以内の文字列で、”送信パケット数”、”受信パケット数”、”通話時間”、”通信時間”等と指定する。
（２）アプリケーション名は、表示要素名で指定される情報を与えるアプリケーションの名前を示した情報であり、”通信プロトコル”、”音声通話”、”動画再生”、”Ｗｅｂブラウザ”等と指定する。
（３）表示要素参照情報タイプは、表示要素名で指定される情報をどのような方法で取得するかを示した情報であり、取得方法として、情報をメモリ領域から読み出す場合と、情報を固有の関数により取得する場合の２者を、それぞれ”メモリ領域”、”関数”と指定する。
（４）参照周期は、表示要素名で指定される情報を取得する周期を指定する情報であり、”最高速”、”周期を表す時間（１０ｍｓｅｃ〜１０ｓｅｃ）”、”∞”等と指定する。
【００１９】
（５）メモリアドレスｏｒ関数アドレスは、表示要素名で指定される情報のデータが保持されているメモリアドレス（例えばＲＡＭ３のアドレス）か、表示要素を生成する関数を呼び出すアドレス（例えばＲＯＭ４のアドレスを指定する。
（６）表示要素のビット構造は、取得した表示要素のデータ構造を示した情報であり、”整数”、”浮動小数点”、”文字列”、”ビットマップ”、”ベクトル情報”等と指定する。
となる。
【００２０】
また、表示データ組立情報とは、表示部Ｂ１０に表示する表示要素（表示データ）の構成を指示する情報であり、図３には、表示データ組立情報の構成要素と、構成要素の指定内容を記述する。構成要素と、構成要素の指定内容は、例えば、
（１）表示データ組立情報名は、この表示データ組立情報が何の情報に関するものかを示した情報であり、２５５文字以内の文字列で、”音声通話サブ領域表示”、”Ｗｅｂブラウザサブ領域表示”等と指定する。
（２）アプリケーション名は、表示データ組立情報を与えるアプリケーションの名前を示した情報であり、”通信プロトコル”、”音声通話”、”動画再生”、”Ｗｅｂブラウザ”等と指定する。
（３）表示要素の参照情報数は、表示部Ｂ１０に表示する表示要素の数を指定する情報であり、”１以上の整数”を指定する。
【００２１】
（４）表示要素名１は、表示部Ｂ１０へ表示する表示要素の１番最初に配置される表示要素名を指定する。
（５）表示要素名２は、表示部Ｂ１０へ表示する表示要素の２番目に配置される表示要素名を指定する。
（６）表示要素名ｎは、表示部Ｂ１０へ表示する表示要素のｎ番目に配置される表示要素名を指定する。
なお、表示要素名は、表示要素の参照情報数に指定された数だけ用意される。
となる。
【００２２】
次に、図４のフローチャートを参照して、本実施の形態の動作について、特にサブ領域表示タスク１３の動作を中心に説明する。
この携帯電話機において、ユーザが操作部８を操作して音声通話やデータ通信を開始すると、端末アプリケーション１１に含まれる音声通話アプリケーションやデータ通信を行うアプリケーションの起動と共に、サブ領域表示タスク１３が起動される（ステップＳ１）。なお、これ以降の説明の簡略化のため、端末アプリケーション１１に含まれるデータ通信を行うアプリケーションとしては、携帯電話機でインターネット上の情報サーバにアクセスする場合のＷｅｂブラウザアプリケーションの場合を考える。
【００２３】
サブ領域表示タスク１３は、起動されると、どのアプリケーションにより起動されたかを確認する（ステップＳ２）。
ステップＳ２において、サブ領域表示タスク１３を起動したアプリケーションが音声通話アプリケーションであった場合、サブ領域表示タスク１３は、音声通話アプリケーションから表示データ生成情報を取得する（ステップＳ３）。
次に、同様に音声通話アプリケーションから、表示データ組立情報を取得する（ステップＳ４）。
【００２４】
ここで、音声通話アプリケーションから取得する表示データ生成情報と表示データ組立情報の一例を図５に示す。本例では、音声通話アプリケーションから取得する表示データ生成情報は図５の（ａ）、（ｂ）に示すように２種類存在し、一方は表示要素名が”通話時間”であって、メモリ領域ＲＡＭ３のアドレス”０ｘ３３３３３３３３”から”１ｓｅｃ”毎に”整数”で取得される。また、もう一方は表示要素名が”通話料金”であって、同様にメモリ領域ＲＡＭ３のアドレス”０ｘ４４４４４４４４”から”１ｓｅｃ”毎に”整数”で取得される。
また、表示データ組立情報は図５の（ｃ）に示すように、表示データ組立情報名”音声通話サブ領域表示”として、”通話時間”と”通話料金”の順で２個の情報を表示するように指示される。
【００２５】
表示データ生成情報と表示データ組立情報を取得したら、サブ領域表示タスク１３は、表示データ生成情報から、”表示要素参照情報タイプ”とそのアドレス情報を含む参照領域情報を抽出する（ステップＳ８）。
次に、同様に、表示データ生成情報から、”参照周期”を抽出する（ステップＳ９）。
そして、表示データ組立情報から”表示要素の参照情報数”を抽出する（ステップＳ１０）。
参照領域情報と参照周期、及び参照情報数を抽出したら、表示を指定された表示要素名を確認する（ステップＳ１１）。ここで、表示を指定された表示要素名とは、表示要素数が複数あって表示部Ｂ１０に表示しきれない場合に、表示要素名を指定することにより、表示を指定された表示要素名のことで、表示要素名の指定方法としては、例えば
（１）ユーザに操作部８を用いて指定させる。
（２）タイマを用いて一定時間毎に指定を切り替える。
等が考えられる。
【００２６】
表示部Ｂ１０に表示する表示要素が確認できたら、サブ領域表示タスク１３は、指定された表示要素を選択し（ステップＳ１２）、表示要素名で指定されるデータを指定された参照領域から取得する（ステップＳ１３）。ただし、表示要素全てを一度に表示部Ｂ１０に表示しきれる場合、ステップＳ１１とステップＳ１２は実行されなくても良い。
そして、指定された表示要素のデータを表示データへ変換し、表示部Ｂ１０へ出力することにより、表示要素を表示部Ｂ１０に表示する（ステップＳ１４）。
表示要素の表示後は、サブ領域表示タスク１３を起動したアプリケーションが終了したか否かを確認し（ステップＳ１５）、終了していない場合（ステップＳ１５のＮＯ）、表示要素の参照周期が経過したか否かを確認する（ステップＳ１６）。
【００２７】
ステップＳ１６において、表示要素の参照周期が経過していた場合（ステップＳ１６のＹＥＳ）、ステップＳ１１へ戻り、上述の動作を繰り返す。
ステップＳ１６において、表示要素の参照周期が経過していない場合（ステップＳ１６のＮＯ）、ステップＳ１５へ戻り、アプリケーションの終了監視と参照周期の監視を繰り返す。
また、ステップＳ１５において、サブ領域表示タスク１３を起動したアプリケーションが終了していた場合（ステップＳ１５のＹＥＳ）、サブ領域表示タスク１３も動作を終了する。
【００２８】
以上、音声通話アプリケーションによりサブ領域表示タスク１３が起動された場合の、各構成要素間のデータの流れを図６を用いて説明すると、端末アプリケーション１１に含まれる音声通話アプリケーション１０１は、ユーザの音声通話の開始と共に、通信プロトコルスタック１２を介して無線部２と通話信号の送受信を始める。一方、音声通話アプリケーション１０１は表示部Ａ９に、例えば通話相手先の電話番号等の情報を表示する表示データを出力する。また、サブ領域表示タスク１３は、ＲＡＭ３を介して、音声通話アプリケーション１０１の動作を監視するアプリケーションモニタが記録した”通話時間”、”通話料金”等の表示要素データを取得する。そして、音声通話アプリケーション１０１の指示する表示データ組立情報に従い、表示部Ｂ１０へ表示データを出力する。
【００２９】
一方、ステップＳ２において、サブ領域表示タスク１３を起動したアプリケーションがデータ通信アプリケーションであった場合、サブ領域表示タスク１３は、通信プロトコルスタック１２から表示データ生成情報を取得する（ステップＳ５）。なお、本実施の形態では、説明の簡略化のため、端末アプリケーション１１に含まれるデータ通信を行うアプリケーションは、Ｗｅｂブラウザアプリケーションのみとしているので、”データ通信アプリケーション＝Ｗｅｂブラウザアプリケーション”として説明するが、データ通信アプリケーションが複数ある場合、ここでデータ通信アプリケーションが何であるか確認する処理が実行される。
【００３０】
また、通信プロトコルスタック１２から取得する表示データ生成情報の一例を図７に示す。本例では、通信プロトコルスタック１２から取得する表示データ生成情報は図７の（ａ）、（ｂ）に示すように２種類存在し、一方は表示要素名が”送信パケット数”であって、メモリ領域ＲＡＭ３のアドレス”０ｘ１１１１１１１１”から”１００ｍｓｅｃ”毎に”整数”で取得される。また、もう一方は表示要素名が”受信パケット数”であって、同様にメモリ領域ＲＡＭ３のアドレス”０ｘ２２２２２２２２”から”１００ｍｓｅｃ”毎に”整数”で取得される。
【００３１】
次に、Ｗｅｂブラウザアプリケーションから、表示データ生成情報を取得する（ステップＳ６）。
更に、Ｗｅｂブラウザアプリケーションから、表示データ組立情報を取得する（ステップＳ７）。
ここで、Ｗｅｂブラウザアプリケーションから取得する表示データ生成情報と表示データ組立情報の一例を図８に示す。本例では、Ｗｅｂブラウザアプリケーションから取得する表示データ生成情報は図８の（ａ）に示すように、表示要素名が”通信時間”であって、メモリ領域ＲＡＭ３のアドレス”０ｘ５５５５５５５５”から”１ｓｅｃ”毎に”整数”で取得される。また、表示データ組立情報は図８の（ｂ）に示すように、表示データ組立情報名”Ｗｅｂブラウザサブ領域表示”として、”送信パケット数”、”受信パケット数”、”通信時間”の順で３個の情報を表示するように指示される。
表示データ生成情報と表示データ組立情報を取得したら、サブ領域表示タスク１３は、ステップＳ８へ進み、音声ブラウザアプリケーションで説明したステップＳ８からステップＳ１６の処理を行う。ステップＳ８からステップＳ１６の処理については、ここでは説明を省略する。
【００３２】
以上、Ｗｅｂブラウザアプリケーションによりサブ領域表示タスク１３が起動された場合の、各構成要素間のデータの流れを図９を用いて説明すると、端末アプリケーション１１に含まれるＷｅｂブラウザアプリケーション１０２は、データ通信の開始と共に、通信プロトコルスタック１２を介して無線部２と通信データの送受信を始める。一方、Ｗｅｂブラウザアプリケーション１０２は表示部Ａ９に、例えば情報サーバへアクセスする場合のメニュー画面等の情報を表示する表示データを出力する。また、サブ領域表示タスク１３は、ＲＡＭ３を介して、通信プロトコルスタック１２の通信内容を監視するトラフィックモニタが記録した”送信パケット数”、”受信パケット数”等の表示データ生成情報を取得し、更に、Ｗｅｂブラウザアプリケーション１０２の動作を監視するアプリケーションモニタが記録した”通信料金”等の表示要素データを取得する。そして、Ｗｅｂブラウザアプリケーション１０２の指示する表示データ組立情報に従い、表示部Ｂ１０へ表示データを出力する。
また、図１０は、Ｗｅｂブラウザアプリケーションが実行されている場合の通信携帯端末の外観を示した一例である。図１０では、表示部Ａ９にＷｅｂブラウザアプリケーションによる情報サーバへアクセスするためのメニュー画面が表示され、表示部Ｂ１０にデータ通信における通信料金が表示されている。
【００３３】
なお、上述の実施の形態では、アプリケーションプログラムによる電話機能のメニューや、テンキーやファンクションキーなどの入力操作に応じたデータの表示を行う表示部Ａ９と、表示部Ａ９とは独立して制御され、表示部Ａ９とは異なる情報を表示する表示部Ｂ１０とを別の表示部として説明したが、これらの２つの表示部は一体とし、例えば表示部Ａ９の一部に上述の”通話料金”や”通信料金”等の表示データを表示しても良い。また、表示する情報としては、”通話料金”や”通信料金”を積算した累計料金を、”累計通話料金”、”累計通信料金”として表示しても良い。
また、表示部Ａ９に上述の”通話料金”や”通信料金”等の表示データを表示する場合、ユーザの操作に従って、アプリケーションプログラムによる情報の表示と切り替えて表示するようにしても良い。
【００３４】
また、表示部Ａ９と表示部Ｂ１０を独立の表示部として設けた場合、本実施の形態の図１０で説明したような、表示部Ａ９と表示部Ｂ１０が携帯通信端末の同一平面上にあるとは限らず、携帯通信端末の筐体のどこにあっても良い。
更に、”通話時間”や”通信時間”を出力するアプリケーションプログラムは、単位時間、または単位データ量あたりの料金が変更された場合、これに関する情報を更新するものとする。この場合、情報の更新方法は、
（１）ユーザが操作部８を用いて料金に関する情報を入力し、登録する。
（２）インターネット上の情報サーバにアクセスして、料金に関する情報を取得し、登録する。
（３）携帯通信端末も設けられた通信ポートを介して、別途用意されたコンピュータ端末から料金に関する情報を入力し、登録する。
等がある。
【００３５】
なお、上述の実施の形態では、携帯通信に係わる所定の機能を実行するアプリケーションプログラムの例として、音声通話アプリケーションやＷｅｂブラウザアプリケーションを挙げて説明を行ったが、携帯通信に係わる所定の機能を実行するアプリケーションプログラムとしては、この他に、電子メールアプリケーションやニュース購読アプリケーション等が挙げられる。
【００３６】
また、上述の実施の形態では、表示部Ｂ１０に表示する情報を、通話時間や通話料金、通信料金等の携帯通信端末の通信の接続に係わる接続情報を例に取り説明したが、表示部Ｂ１０に表示する情報は接続情報に限らず、携帯通信端末の持つ機能に対する付加情報であれば、何であっても良い。例えば、付加情報の例としては、上述の接続情報の他に、携帯通信端末の状態を表す電池残量や端末使用時間を含む携帯通信端末の内部情報や、表示部Ａ９に表示されたゲームの実行画面に対してゲームアプリケーションが表示部Ａ９に表示しきれないゲームの得点情報等、アプリケーションが主表示とは独立して表示したいアプリケーションの詳細情報が挙げられる。
【００３７】
【発明の効果】
以上の如く本発明によれば、音声通話機能やデータ通信機能を実行するアプリケーションプログラムを備え、該アプリケーションの情報を主表示手段に表示する携帯通信端末において、アプリケーションプログラムが表示するアプリケーションの情報とは独立した、課金状況を含む接続情報や、電池残量や端末使用時間を含む携帯通信端末の状態を表す内部情報、更にはアプリケーションプログラムが主表示手段に表示しきれないアプリケーションの詳細情報等を第２の表示手段に表示するサブ領域表示制御手段を設けた。
従って、第２の表示手段を主表示手段とは独立に設けることにより、携帯通信端末の画面デザイン上の制約に捕らわれずに、有効かつ適切な情報を表示できるという効果が得られる。また、ゲームアプリケーションの得点情報等をゲームの画面とは独立して表示するような使用方法では、ユーザに対して外見上独立した表示手段により情報を提供することで、ユーザは２種類の情報を混同することがなくなり、その認識率を上げられるという効果が得られる。更に、アプリケーション本体に必要のない情報を、第２の表示手段に待避させる事ができるため、主表示手段には、本当に必要な情報だけを表示できるという効果が得られる。
また、これらの補足的な情報の表示を行うことによって、ユーザは課金状況等の情報を参照しながら、節度をもって携帯通信端末を使用することができ、ユーザは料金の精算時に高額な料金を請求されて困るということがなくなり、すなわち、ユーザの利便性が向上するという効果が得られる。また、電池残量等の内部情報をアプリケーションの情報とは別に表示することで、ユーザがより多くの情報を一度に確認できるという効果が得られる。
【００３８】
更に、サブ領域表示制御手段に共通インターフェースを採用することで、アプリケーションプログラム開発者の負荷を軽減し、かつ携帯通信端末はどのようなアプリケーションプログラムにおいても付加情報を表示することができるという効果が得られる。
【図面の簡単な説明】
【図１】  本実施の形態の携帯電話機の構成を示すブロック図である。
【図２】  同実施の形態のアプリケーションプログラムに要求する表示データ生成情報の内容を示す図である。
【図３】  同実施の形態のアプリケーションプログラムに要求する表示データ組立情報の内容を示す図である。
【図４】  同実施の形態の動作を示すフローチャートである。
【図５】  同実施の形態の音声通話アプリケーションが出力する表示データ生成情報と表示データ組立情報の一例を示す図である。
【図６】  同実施の形態の音声通話アプリケーションが実行される場合のデータの流れを示す図である。
【図７】  同実施の形態の通信プロトコルスタックが出力する表示データ生成情報の一例を示す図である。
【図８】  同実施の形態のＷｅｂブラウザアプリケーションが出力する表示データ生成情報と表示データ組立情報の一例を示す図である。
【図９】  同実施の形態のＷｅｂブラウザアプリケーションが実行される場合のデータの流れを示す図である。
【図１０】  同実施の形態のＷｅｂブラウザアプリケーションが実行される場合の携帯電話機の外観を示す図である。
【符号の説明】
１    制御部
３    ＲＡＭ
９    表示部Ａ
１０    表示部Ｂ
１１    端末アプリケーション
１２    通信プロトコルスタック
１３    サブ領域表示タスク
Ｓ１１〜Ｓ１３    表示内容選択手段
１０１    音声通話アプリケーション
１０２    Ｗｅｂブラウザアプリケーション
【図１】
0004693986.tif 000002
【図２】
0004693986.tif 000003
【図３】
0004693986.tif 000004
【図４】
0004693986.tif 000005
【図５】
0004693986.tif 000006
【図６】
0004693986.tif 000007
【図７】
0004693986.tif 000008
【図８】
0004693986.tif 000009
【図９】
0004693986.tif 000010
【図１０】
0004693986.tif 000011